(57)【要約】【課題】オフィスビルの無線ネットワークシステムで、システム天井に設置するアンテナの電波放射パターンの方向を変えず、隣接する無線センサーネットワークに電波障害を与えず、容易で短時間、対象の無線通信可能な端末を通信可能範囲内に適切に収納することが可能で、耐震強度の高いアンテナ取付装置を提供する。【解決手段】アンテナユニット（アンテナ取付装置と、これに実装されたアンテナ装置とを総称）は、課題解決のために、システム天井の格子構造物内で、少なくとも第二直線方向にスライドする構造を持っている。【選択図】図１
2020156072.tif 000002
【特許請求の範囲】
【請求項１】
格子状構造物を有するオフィスビルのシステム天井に配置するアンテナ装置と、オフィスに配置した無線通信可能なセンサーと、コンピュータと、で構成される無線ネットワークシステムにおける前記アンテナ装置をシステム天井に取付け支持するアンテナ取付装置において、
前記アンテナ取付装置は、前記アンテナ装置を第一直線方向にスライド可能に支持するアンテナ取付架台と、前記アンテナ取付架台を前記システム天井に、前記第一直線方向と直交とする第二直線方向にスライド自在に取付けるスライド取付手段と、
を備えていることを特徴とするアンテナ取付装置。
【請求項２】
前記アンテナ取付架台は、アンテナ装置を前記第一直線方向にスライド可能に支持する本体部と、前記本体部の前記第一直線方向の両端部に連設され、前記第一直線方向に直交する側面を有する側面部並びに前記側面と直交する折返し面を有する折返し部とを有しており、前記スライド取付手段は、前記側面部、折返し部及びシステム天井に固定するための固定金具によって構成されていることを特徴とする請求項１記載のアンテナ取付装置。
【請求項３】
前記本体部には、アンテナ装置を緊締するための孔が第一直線方向に延びる長穴として形成されていることを特徴とする請求項２記載のアンテナ取付装置。
【請求項４】
前記本体部には、アンテナ装置から天井側に突出する同軸コネクタが貫通する孔が第一直線方向に延びる長孔として形成されていることを特徴とする請求項２または３記載のアンテナ取付装置。
【請求項５】
アンテナ取付架台の両側面部間の外幅は、格子状構造物の内幅よりわずかに小さいことを特徴とする請求項２記載のアンテナ取付装置。
【請求項６】
前記固定金具は、アンテナ架台に固定される固定片と、格子状構造物に弾性的に係止する係止片とを有することを特徴とする請求項５記載のアンテナ取付装置。
【請求項７】
前記固定片は、格子状構造物の上部をまたぐことができるように外側に延びて係止片に連設されていることを特徴とする請求項６の記載のアンテナ取付装置。
【請求項８】
前記固定金具及び前記アンテナ取付架台には、相互に緊締するための孔がそれぞれ形成され、前記孔の少なくとも一方は、前記第一直線方向に長孔となっていることを特徴とする請求項２ないし７のいずれかの項記載のアンテナ取付装置。
【請求項９】
アンテナ取付架台の本体部は、前記第一直線方向に伸縮可能であることを特徴とする請求項２記載のアンテナ取付装置。
【請求項１０】
格子状構造物を有するオフィスビルのシステム天井に配置するアンテナ装置と、オフィスに配置した無線通信可能なセンサーと、コンピュータと、で構成される無線ネットワークシステムにおける前記アンテナ装置をシステム天井に取付け支持するアンテナ取付装置において、
前記アンテナ取付装置は、前記アンテナ装置を支持し、長手方向を有するアンテナ取付架台と、前記アンテナ取付架台を前記システム天井に、前記長手方向と直交する方向にスライド自在に取付けるスライド取付手段と、
を備えていることを特徴とするアンテナ取付装置。
【請求項１１】
前記アンテナ取付架台は、アンテナ装置を支持し、長手方向を有する本体部と、前記本体部の長手方向両端部に連設され、前記長手方向に直交する側面を有する側面部並びに前記側面と直交する折返し面を有する折返し部とを有しており、前記スライド取付手段は、前記側面部、折返し部及びシステム天井に固定するための固定金具によって構成されていることを特徴とする請求項１０記載のアンテナ取付装置。
【請求項１２】
アンテナ取付架台の両側面部間の外幅は、格子状構造物の内幅よりわずかに小さいことを特徴とする請求項１１記載のアンテナ取付装置。
【請求項１３】
前記固定金具は、アンテナ取付架台に固定される固定片と、格子状構造物に弾性的に係止する係止片とを有し、固定片と係止片が一体的に形成されていることを特徴とする請求項１１または１２記載のアンテナ取付装置。
【請求項１４】
前記固定片は、格子状構造物の上部をまたぐことができるように外側に延びて係止片に連設されていることを特徴とする請求項１３の記載のアンテナ取付装置。
【請求項１５】
前記固定金具及び前記アンテナ取付架台には、緊締用の孔がそれぞれ形成され、前記孔の少なくとも一方は、前記長手方向に長孔となっていることを特徴とする請求項１１ないし１４のいずれかの項記載のアンテナ取付装置。
【請求項１６】
アンテナ取付架台の本体部は、前記長手方向に伸縮可能であることを特徴とする請求項１１記載のアンテナ取付装置。
【発明の詳細な説明】
【発明の詳細な説明】
【技術分野】
【０００１】  本発明は、オフィスビルのシステム天井に配置するアンテナ装置とオフィスに配置する無線通信可能なセンサーとコンピュータ（以降、ＰＣ）等で構成される無線ネットワークシステムにおいて、アンテナ装置の電波放射パターンに影響することなく、設置位置をスライドすることにより無線通信可能範囲内にセンサーとＰＣを収納することが出来るアンテナ取付装置に関するものである。
【背景技術】
【０００２】  高度化する情報化社会でのオフィスビル内では、センサー、ＰＣ及びアンテナ装置によるデータ通信の無線ネットワークシステムの構築要求が高まっている。こうしたオフィスビルで無線ネットワークシステムを実際に構築する工事現場では、対象のセンサーやＰＣ等がアンテナの通信可能範囲内に収納され且つ、他の通信領域に電波障害を与えないように、アンテナ装置の位置を正確に短時間で設定することの可能なアンテナ取付け装置の要求か高まっている。【０００３】  この分野における従来のアンテナ取付装置は、［図１５］に示すように、天井内のコンクリートなどから吊り下げられたアンテナ取付吊りボルト４１と、２本以上の振れ止め吊りボルト４２とを有し、これら３本以上のボルトの先端（下端）に振れ止め金具４３を有している。さらに、この振れ止め金具４３の下側に取付平板４４を有し、さらにその下端にアンテナ取付金物４５を有している。アンテナ装置４６は、アンテナ取付金物４５に取付けられている。このアンテナ装置４６の電波放射パターンの垂直方向（上下方向）の向きを変えたい場合、すなわち、例えば斜めにしたい場合は、アンテナ取付金物４５のアンテナ取付吊りボルト４１や取付平板４４に対する角度を変える。この状態でたとえばアンテナ装置４６の向き（水平方向における向き）を変更したい場合は、取付平板４４をアンテナ取付吊りボルト４１を中心軸にして回転させる。この２軸の回転によって、対象のセンサー及びＰＣ等をアンテナ装置の通信可能範囲内に収納している。【０００４】  また、特許文献の場合、放送衛星に対し、アンテナを取付ける建築物の壁面がいかなる方向に向いている場合にも、整合性を良くするために、水平方向及び垂直方向の２軸に回動可能な衛星放送受信用平面アンテナ取付装置が開示されている。
【先行技術文献】
【特許文献】
【特許文献】特開昭６３−１７４４０５
【発明の概要】
【発明が解決しようとする課題】
【０００５】  特許文献の場合、水平方向及び垂直方向の２軸に回動可能な衛星放送受信用平面アンテナ取付装置であって、オフィスの天井では取り扱いの観点、及び対象の無線通信可能なセンサーとＰＣをアンテナ装置の通信可能領域内に適切に収納する観点から問題がある。【０００６】  ［図１５］に示す従来のアンテナ取付装置は、主に次の第１から第２の問題がある。
第１に、オフィスに配置している対象の無線通信可能なセンサーとＰＣをアンテナ装置の通信可能範囲内に適切に収納する為に、アンテナ取付金物及び取付平板を取付ているボルトを各々緩め、アンテナ装置の電波放射パターンの方向を２軸を使って調整しなければならない。このため調整が難しく時間が掛かり、複数人数の作業員と長時間が必要であるという問題がある。第２に、アンテナ装置の通信可能範囲を広げるために、電波放射パターンの方向を変える際に、わずかな角度の変更で、放射領域が大きく変更されてしまう。この結果、隣接する無線センサーネットワークに電波障害を発生させるという問題が生じやすい。［図１６］にこの問題の状況を示している。【０００７】  本発明は、従来のアンテナ取付装置が有する上記問題点を解決することを目的とする。即ち、本発明のアンテナ取付装置は、隣接する無線センサーネットワークに電波障害が発生しにくく、容易で短時間に、オフィスに配置している対象の無線通信可能なセンサー、ＰＣなどをアンテナ装置の通信可能範囲内に適切に収納することを可能とするものである。
【課題を解決するための手段】
【０００８】  請求項１に記載のアンテナ取付装置は、格子状構造物を有するオフィスビルのシステム天井に配置するアンテナ装置と、オフィスに配置した無線通信可能なセンサーと、コンピュータと、で構成される無線ネットワークシステムにおける前記アンテナ装置をシステム天井に取付け支持するアンテナ取付装置であって、前記アンテナ装置を第一直線方向にスライド可能に支持するアンテナ取付架台と、前記アンテナ取付架台を前記システム天井に、前記第一直線方向と直交とする第二直線方向にスライド自在に取付けるスライド取付手段と、を備えていることを特徴とする【０００９】  請求項２に記載のアンテナ取付装置は、更に、前記アンテナ取付架台が、アンテナ装置を前記第一直線方向にスライド可能に支持する本体部と、前記本体部の前記第一直線方向の両端部に連設され、前記第一直線方向に直交する側面を有する側面部並びに前記側面と直交する折返し面を有する折返し部とを有しており、前記スライド取付手段が、前記側面部、折返し部及びシステム天井に固定するための固定金具によって構成されていることを特徴とする。【００１０】  請求項３に記載のアンテナ取付装置は、更に、前記本体部に、アンテナ装置を緊締するための孔が第一直線方向に延びる長孔として形成されていることを特徴とする。【００１１】  請求項４に記載のアンテナ取付装置は、更に、前記本体部に、アンテナ装置から天井側に突出する同軸コネクタが貫通する孔が第一直線方向に延びる長孔として形成されていることを特徴とする。【００１２】  請求項５に記載のアンテナ取付装置は、更に、アンテナ取付架台の両側面部間の外幅が、格子状構造物の内幅よりわずかに小さいことを特徴とする。【００１３】  請求項６に記載のアンテナ取付装置は、更に、前記固定金具が、アンテナ架台に固定される固定片と、格子状構造物に弾性的に係止する係止片とを有することを特徴とする。【００１４】  請求項７のアンテナ取付装置は、前記固定片が、格子状構造物の上部をまたぐことができるように外側に延びて係止片に連設されていることを特徴とする。【００１５】  請求項８のアンテナ取付装置は、更に、前記固定金具及び前記アンテナ取付架台に、相互に緊締するための孔がそれぞれ形成され、前記孔の少なくとも一方は、前記第一直線方向に長孔となっていることを特徴とする。【００１６】  請求項９記載のアンテナ取付装置は、更に、アンテナ取付架台の本体部が、前記第一直線方向に伸縮可能であることを特徴とする。【００１７】  請求項１０記載のアンテナ取付装置は、格子状構造物を有するオフィスビルのシステム天井に配置するアンテナ装置と、オフィスに配置した無線通信可能なセンサーと、コンピュータと、で構成される無線ネットワークシステムにおける前記アンテナ装置をシステム天井に取付け支持するアンテナ取付装置であって、前記アンテナ装置を支持し、長手方向を有するアンテナ取付架台と、前記アンテナ取付架台を前記システム天井に、前記長手方向と直交する方向にスライド自在に取付けるスライド取付手段と、を備えていることを特徴とする。【００１８】  請求項１１に記載のアンテナ取付装置は、請求項９記載のアンテナ取付装置において、更に、前記アンテナ取付架��が、アンテナ装置を支持し、長手方向を有する本体部と、前記本体部の長手方向両端部に連設され、前記長手方向に直交する側面を有する側面部並びに前記側面と直交する折返し面を有する折返し部とを有しており、前記スライド取付手段が、前記側面部、折返し部及びシステム天井に固定するための固定金具によって構成されていることを特徴とする。【００１９】  請求項１２のアンテナ取付装置は、更に、アンテナ取付架台の両側面部間の外幅が、格子状構造物の内幅よりわずかに小さいことを特徴とする。【００２０】  請求項１３に記載のアンテナ取付装置は、更に、前記固定金具が、アンテナ取付架台に固定される固定片と、格子状構造物に弾性的に係止する係止片とを有し、固定片と係止片が一体的に形成されていることを特徴とする。【００２１】    請求項１４に記載のアンテナ取付装置は、更に、前記固定片が、格子状構造物の上部をまたげるように外側に延びて係止片に連設されていることを特徴とする。【００２２】  請求項１５に記載のアンテナ取付装置は、更に、前記固定金具及び前記アンテナ取付架台に、緊締用の孔がそれぞれ形成され、前記孔の少なくとも一方は、前記長手方向に長孔となっていることを特徴とする【００２３】  請求項１６記載のアンテナ取付装置は、更に、アンテナ取付架台の本体部が、前記長手方向に伸縮可能であることを特徴とする。
【発明の効果】
【００２４】  請求項１の記載のアンテナ取付装置によれば、電波の放射方向と放射範囲を２軸の角度調整ではなく、アンテナ取付装置自体をシステム天井の水平面に対して長手方向（第一直線方向）と垂直な方向、すなわち、第二直線方向にスライドさせるとともに、アンテナ装置を、アンテナ取付装置の長手方向にスライドさせて位置調整するようにできるので、放射方向（放射の向き）を変えずに通信可能領域の調整を短時間で容易にできる。すなわち、アンテナ装置は、前記アンテナ取付装置によって、位置調整のために前後左右に移動するのみで、前記アンテナ装置の電波放射パターンの方向を２軸の角度変更によって変えていない為、隣接する他の無線ネットワークシステムに電波障害を与えにくく、工事現場での正確な作業が短時間で達成できる。【００２５】  請求項２の記載のアンテナ取付装置によれば、スライド取付手段が、本体部の長手方向の側面部、折返し部及びシステム天井に固定するための固定金具によって構成されているため、大掛かりな構成を必要とせずに、安価で製造容易な構成とすることができる。【００２６】  請求項３に記載のアンテナ取付装置によれば、アンテナ装置を緊締するための孔が第一直線方向に延びる長孔として形成されているために、この長孔の長さの分だけ、アンテナ装置を長手方向にスライドさせて取り付けることができる。しかも長孔を使った緊締手段なので、安価で簡単な構造で達成できる。【００２７】  請求項４に記載のアンテナ取付装置によれば、本体部に、アンテナ装置から天井側に突出する同軸コネクタが貫通する孔が第一直線方向に延びる長孔として形成されているために、アンテナ装置を第一直線方向にスライドさせるに当たって、同軸コネクタが邪魔にならない。【００２８】  請求項５に記載のアンテナ取付装置によれば、アンテナ取付架台の両側面部間の外幅が、格子状構造物の内幅よりわずかに小さいので、アンテナ取付架台を、無理なく容易にシステム天井の格子状構造物の内幅に収めることができる。【００２９】  請求項６に記載のアンテナ取付装置によれば、前記固定金具が、アンテナ架台に固定される固定片と、格子状構造物に弾性的に係止する係止片とを有しているので、簡単な構造で、アンテナ取付装置をシステム天井に固定でき、しかも弾性的に係止しているので、がたつくことを防止できる。【００３０】請求項７記載のアンテナ取付装置によれば、例えばアンテナ取付装置の重量を支えている天井板が落下した場合にも、固定金具が格子状構造物の上側にまたぐことができるように外側に延びているため、固定金具がアンテナ取付装置の重量を支えることができる。【００３１】  請求項８記載のアンテナ取付装置によれば、前記固定金具及び前記アンテナ取付架台に、相互に緊締するための孔がそれぞれ形成され、前記孔の少なくとも一方が、前記第一直線方向に長孔となっているので、システム天井の格子状構造物の水平方向の厚みあるいは幅が多少変わっても、長孔の長さの分だけ取付位置を変更できる。すなわち、厚みまたは幅の違う格子状構造物に対応できる。【００３２】  請求項９記載のアンテナ取付装置によれば、アンテナ取付架台の本体部が、前記第一直線方向に伸縮可能であるので、システム天井格子��が違っても取り付け可能である。【００３３】  請求項１０記載のアンテナ取付装置は、長手方向と直交する方向にスライド可能に、格子状構造物に取り付けることが可能なため、仮に、これと直交する方向にスライド可能に取り付ける必要がある場合には、アンテナ取付装置自体を９０度向きを変えて取付ければ良い。この場合にも、２軸の角度調整をすることはないので、通信可能領域の調整を短時間で容易にできる。すなわち、アンテナ装置は、前記アンテナ取付装置によって、位置調整のために取付けの向きと、一方向にスライド移動するのみで、前記アンテナ装置の電波放射パターンの方向を変えない為、隣接する他の無線ネットワークシステムに電波障害を与えにくく、工事現場での正確な作業が短時間で達成できる。【００３４】  請求項１１に記載のアンテナ取付装置によれば、スライド取付手段が、前記側面部、折返し部及びシステム天井に固定するための固定金具によって構成されているため、大掛かりな構成を必要とせずに、安価で製造容易な構成とすることができる。【００３５】  請求項１２のアンテナ取付装置によれば、アンテナ取付架台の両側面部間の外幅が、格子状構造物の内幅よりわずかに小さいので、アンテナ取付架台を、無理なくシステム天井の格子状構造物の内幅に容易に無理なく収めることができる。【００３６】  請求項１３に記載のアンテナ取付装置によれば、固定金具が、アンテナ架台に固定される固定片と、格子状構造物に弾性的に係止する係止片とを有しているので、簡単な構造で、アンテナ取付装置をシステム天井に固定でき、地震などの際にがたつくことを防止できる。【００３７】  請求項１４記載のアンテナ取付装置によれば、請求項７記載のアンテナ取付装置同様、アンテナ取付装置の重量を支えている天井板が落下した場合にも、固定金具が格子状構造物の上側にまたぐことができるように外側に延びているため、固定金具がアンテナ取付装置の重量を支えることができる。【００３８】請求項１５に記載のアンテナ取付装置によれば、固定金具及び前記アンテナ取付架台に、相互に緊締するための孔がそれぞれ形成され、前記孔の少なくとも一方が、前記第一直線方向に長孔となっているので、システム天井の格子状構造物の水平方向の厚みあるいは幅が多少変わっても、長孔の長さの分だけ取付位置を変更できる。すなわち、厚みまたは幅の違う格子状構造物に対応できる。【００３９】  請求項１６記載のアンテナ取付装置によれば、アンテナ取付架台の本体部が、長手方向に伸縮可能なので、システム天井の格子幅が違っても取り付け可能である。
【図面の簡単な説明】
【００４０】
【図１】本発明の第一の実施形態を示す分解斜視図
【図２】本発明の第一の実施形態を示す斜視図
【図３（ａ）】本発明の第一の実施形態を取付けた状態の天井部を示す縦断面図
【図３（ｂ）】図３（ａ）の○で囲んだ部分の拡大分解斜視図
【図４】本発明の第一の実施形態における固定金具の斜視図
【図５】本発明の第一の実施形態における通信可能範囲をスライド調整する説明図
【図６】本発明の第一の実施形態における調整前の通信可能範囲を示す平面図
【図７】本発明の第一の実施形態における調整後の通信可能範囲を示す平面図
【図８】本発明の第二の実施形態を示す分解斜視図
【図９】本発明の第三の実施形態を示す分解斜視図
【図１０】本発明の第三の実施形態を示す斜視図
【図１１】本発明の第四の実施形態を示す分解斜視図
【図１２（ａ）】本発明の第三の実施形態の調整前の通信可能範囲を示す説明図
【図１２（ｂ）】本発明の第三の実施形態の調整後の通信可能範囲を示す説明図
【図１３（ａ）】本発明の第三の実施形態の調整前の通信可能範囲を示す説明図
【図１３（ｂ）】本発明の第三の実施形態の調整後の通信可能範囲を示す説明図
【図１４】本発明が適用されるオフィスビルのネットワーク構成を示す概要図
【図１５】従来のアンテナ取付装置を用いた通信可能範囲の調整方法に関する説明図
【図１６】従来のアンテナ取付装置を用いた通信可能範囲の調整と電波障害の説明図
【発明を実施するための形態】
【００４１】  本発明の実施形態として、第一の実施形態、第二の実施形態、第三の実施形態、第四の実施形態を図１から図１４を参照しながら詳細に説明する。
【００４２】  本発明のアンテナ取付装置のこれら複数の実施形態のいずれもが適用されるオフィスビルの無線ネットワークシステム構成の一例について、図１４を参照しながら説明する。
【００４３】    オフィス内は、アンテナユニット（本発明のアンテナ取付装置と、これに実装されたアンテナ装置とを総称してアンテナユニットという）の通信可能範囲や通信容量、通信対象端末数などの関係から、複数のブロックに分けられている。ここでは、二つに分けられたネットワークシステム構成となっている。すなわちオフィス内には、アンテナユニット３３ａと無線通信可能なセンサーやＰＣなどの複数の端末３３ａａとアンテナユニット３３ｂと無線通信可能なセンサーやＰＣなどの複数の端末３３ｂｂの２つの群に分けられて設置されて、各々の群に、アンテナユニット３３ａによる通信可能範囲３３ａｒと、アンテナユニット３３ｂによる通信可能範囲３３ｂｒと、が設定されている。アンテナユニット３３ａとアンテナユニット３３ｂは、電波の相互干渉が発生しないように設置されている。
【００４４】  アンテナユニット３３ａとアンテナユニット３３ｂは、天井内に設置されており、高周波同軸ケーブルで増幅装置・送受信装置３２と接続されている。オフィス内の対象のセンサーやＰＣ等の複数の端末３３ａａ及び３３ｂｂの送受信信号は、アンテナユニット３３ａとアンテナユニット３３ｂ、高周波同軸ケーブル３１、増幅装置・送受信装置３２、更に無線信号に変換後、アンテナユニット３３ｃ、データ管理室内の送受信装置アンテナ３７を経由して、送受信装置３８にて、デジタル信号に変換後、勤務状況データ、業務情報データ等を、コンピュータ・データ管理装置３９でデータ処理、データ記憶・蓄積等の管理をおこなう。
【００４５】  また、センサーやＰＣ等の複数の端末３３ａａ及び３３ｂｂのデータ取得等指示は、コンピュータ・データ管理装置３９より指示信号として出力され、前記の逆コースを通って、センサーやＰＣ等の複数の端末３３ａａ及び、３３ｂｂに伝達される。
【００４６】  上記のようなネットワークシステムに使われる本発明のアンテナ取付装置１の第一の実施形態について、図１〜図７を参照して、詳細に説明する。第一の実施形態のアンテナ取付装置１は、第一直線方向１Ｍ及びこの方向と直交する第二直線方向２Ｍにそれぞれスライド可能なことを特徴としている。詳細は後述する。
【００４７】  図１はアンテナ装置６とアンテナ取付装置１を分解した斜視図である。図１内の白抜き矢印は、アンテナ装置６をアンテナ取付装置１に取付ける方向を示している。
【００４８】  アンテナ取付装置１とアンテナ装置６とは天井内に設置される。この際、アンテナ装置６はオフィス内の対象のセンサーやＰＣ等の端末と無線通信を行うために、正面である素子面９が下（オフィス内）に向けられた状態で、アンテナ取付装置１に取付けられる。アンテナ装置の背面にはアンテナ取付装置１に取付けられるようにするためのアンテナ装置用ボルト８が取り付けられており、また、高周波コネクタプラグ１３及び高周波同軸ケーブル１４を接続するための高周波コネクタジャック７が取付けられている。
【００４９】  アンテナ取付装置１がアンテナ装置６を支持した状態で、アンテナ装置６を第一直線方向１Ｍにスライドできるようにするために、アンテナ取付架台本体部１ａには、アンテナ装置用ボルト８が貫通できる長孔２と、高周波コネクタジャック７が貫通できる長孔３が設けられている。なお図２及び図３に開示するようにアンテナ装置用ボルト８が長孔２を貫通した後、アンテナ装置用ボルト８にボルトを係止するナット１２をねじ付けることで、アンテナ装置６がアンテナ取付装置１に支持される。
【００５０】  アンテナ取付装置１が第一直線方向１Ｍと直交する第二直線方向２Ｍにスライドできるようにするために、アンテナ取付架台本体部１ａには側面部４と折返し部５が連接されている。
【００５１】  アンテナ取付装置１には、アンテナ取付装置１をシステム天井の格子状構造物に載置するための固定金具１１が取付けられる。固定金具１１をアンテナ取付装置１に取付けるには、アンテナ取付架台本体部１ａの固定金具取付孔１０を利用する。すなわち、固定金具取付孔１０と、図４に示す固定金具１１に設けられた長孔１１ｃとを位置調整して、両者の間を貫通する固定金具を係止するネジ１１ｔと固定金具を係止するナット１１ｎで締め付け固定する。また、この締め付け固定は、市販の適切なボルトとナットを使うことも可能である。このとき、長孔１１ｃを利用してアンテナ取付架台本体部１ａに対する固定金具１１の取付位置を調整することで、長手方向に位置調整が可能である。
【００５２】  図２は、本発明の第一の実施形態のアンテナ取付装置１にアンテナ装置６を実装した状態の斜視図である。第一の実施形態のアンテナ取付装置１は、アンテナ装置用ボルト８とボルトを係止するナット１２を緩めてアンテナ装置用ボルト８を緊締長孔２に沿ってずらすことにより、アンテナ装置６を、支持した状態で、アンテナ取付架台本体部１ａの長手方向、即ち、第一直線方向１Ｍにスライドさせることが可能である。詳細は後述する。
【００５３】  また、アンテナ取付装置１自体も、格子状構造物１５に支持された状態で、第一直線方向１Ｍと直交する第二直線方向２Ｍに格子状構造物１５の内側をスライド移動することが可能である。これについても後述する。
【００５４】  図３（ａ）は、本発明の第一の実施形態であるアンテナ取付装置１がアンテナ装置６を支持した状態で、オフィスビル等のシステム天井の格子状構造物内に設置された天井部の縦断面を示している。図３の○で囲んだ部分を拡大したのが図３（ｂ）である。
【００５５】  格子状構造物１５は、その名の通り、格子状に組まれた構造物であるが、この格子状構造物１５の開口部をふさいで天井を形成するように、ロックウール（岩綿）等を使用した断熱性を有する吸音板１６が敷きつめられている。格子状構造物１５の縦断面は、下部に鍔部１５ａ、上部に後述する頭部１５ｂを有する概ね逆Ｔ字状に形成されていて、吸音板１６がこの略逆Ｔ字の鍔部１５ａに載置されている。アンテナ取付架台本体部１ａの外幅、すなわちアンテナ取付装置１の両側のアンテナ取付架台側面部４間の長さが、格子状構造物１５の頭部１５ｂ間の内幅よりわずか小さくしてあるので、格子状構造物１５内に容易に設置可能となる。アンテナ取付架台折返し部５は、吸音板１６の上面である天井裏面に載置された状態となる。アンテナ取付架台折返し部５が吸音板１６に載置されるようにするためには、アンテナ装置６の厚みが、アンテナ取付架台側面部４の高さと同じか小さい必要がある。
【００５６】  アンテナ装置６のアンテナ装置用ボルト８は、アンテナ取付装置１の緊締長孔２を貫通し、ボルトを係止するナット１２で固定されている。高周波コネクタジャック７はアンテナ取付架台本体部１ａの長孔を貫通し、そこに高周波同軸ケーブル１４に接続された高周波コネクタプラグ１３が接続されている。
【００５７】  アンテナ装置６をアンテナ取付装置１内で第一直線方向１Ｍに沿ってスライドさせる最適位置で固定したい場合は、先ず、アンテナ取付架台本体部１ａのボルトを係止するナット１２を若干緩める。次に、アンテナ装置６を第一直線方向１Ｍに沿ってスライドさせて、最適位置で、ボルトを係止するナット１２を締めて固定する。更に、アンテナ取付装置１を第二直線方向２Ｍに沿ってスライドさせたい場合は、アンテナ取付架台側面部４及びアンテナ取付架台折返し部５が、格子状構造物１５及び吸音板１６に沿ってスライドさせ、最適位置に設置する。
【００５８】  アンテナ取付装置１を最適位置からずれないように固定するために、固定金具１１が用いられる。図４は、本発明の第一の実施形態におけるアンテナ取付装置１の固定金具１１の斜視図である。固定金具１１は、アンテナ取付架台本体部１ａに固定される固定片１１ａと、この固定片１１ａに連設されたＶ字状の係止片１１ｂとを有している。係止片１１ｂは、固定片１１ａに連設された係止元片１１ｂ１と、係止元片１１ｂ１にＶ字状に連設された係止舌片１１ｂ２とで構成されている。Ｖ字状の係止元片１１ｂ１と係止舌片１１ｂ２は、その角度が弾性的に変化できる。すなわち、両外側から力を加えるとＶ字状の角度が小さくなり、力を外すと元の角度に戻るような弾性を有している。固定片１１ａには長孔１１ｃが形成され、この長孔１１ｃと固定金具取付孔１０に固定金具を係止するネジ１１ｔと固定金具を係止するナット１１ｎを適用して固定片１１ａがアンテナ架台取付本体部１ａに固定されている。また、この締め付け固定は、市販の適切なボルトとナットを使うことも可能である。固定片１１ａは、格子状構造物１５の頭部１５ｂを跨いで外側にまで延びており、そこから９０度に折り曲げられた係止元片１１ｂ１が図面上、下方に延び、そこからＶ字状に折り曲げられた係止舌片１１ｂ２の先端が格子状構造物１５の外側面に弾性的に当接して係止している。格子状構造物１５の内幅や頭部１５ｂの幅（厚み）の寸法にあわせて、固定片１１ａの長孔１１ｃと固定金具取付孔１０の位置を調整して、固定片１１ａの位置を調整することができる。すなわち、第一直線方向１Ｍにおける取付金具１１を含めたアンテナ取付装置１全体の長さの調整を、固定金具１１の長孔１１ｃを活用して行うことができる。また、固定片１１ａが格子状構造物１５の頭部１５ａを跨ぐことで、仮に、地震などにより吸音板１６が落下することになっても、アンテナ取付装置は、固定片１１が格子状構造物１５に引っかかり、落下するリスクを減らすことができる。
【００５９】  係止片１１ｂは弾性特性を持つことが重要である。何故なら、アンテナ取付装置１をシステム天井の格子状構造物１５に取付ける際、アンテナ取付装置１の両側に固定金具１１を取付けた状態で図３（ａ）の紙面上方から降ろしてはめ込む。その際、格子状構造物１５の頭部１５ｂを係止舌片１１ｂ２が乗り越えるために、一旦、係止元片１１ｂ１と係止舌片１１ｂ２のなすＶ字状の角度が狭まり、係止舌片１１ｂ２が頭部１５ａを乗り越えた後は、Ｖ字状の角度が弾性的に広がるように戻って、係止舌片１１ｂ２の先端が、格子状構造物１５の側面に当接することになる。このため、アンテナ取付装置１を格子状構造物に取付けるのは、極めて容易になる。さらに係止舌片１１ｂ２が頭部１５ｂにひっかかるため、アンテナ取付装置は格子状構造物から容易に抜け落ちない効果を有している。この係止片１１ｂの弾性率は状況に応じて設計して良く、システム天井の格子状構造物の水平方向の厚みあるいは幅が多少変わっても、容易に係止可能である。
【００６０】  固定金具１１は、図１、図２、図３では、アンテナ取付架台本体部１ａの両端に各々１箇所ずつ使用されているが、複数ずつ使用しても良く、複数の方が、固定強度が高まり、耐震強度が高まる。また、上記固定金具１１は、本発明の第二の実施形態、第三の実施形態及び第四の実施形態のアンテナ取付装置にも適用可能である。
【００６１】  次に、本発明の第一の実施形態におけるアンテナ取付装置１を、天井の格子状構造物１５内に設置し、スライドさせて、アンテナ装置６の通信可能範囲内に収納する方法について、図５、図６及び図７を参照して説明する。
【００６２】  本発明の第一の実施形態におけるアンテナ取付装置１の特徴の一つは、従来の様に水平方向及び垂直方向の２軸回動方向を変えずに、システム天井の格子状構造物内で第一直線方向１Ｍ及び、または第二直線方向２Ｍにスライド１７Ｍする（図５参照）ことで、短時間で正確に、対象のセンサーとＰＣ等の端末を通信可能範囲に収納することが出来て、且つ、隣接の無線ネットワークシステムに電波障害を発生させないか、少ないことである。本発明の第一の実施形態におけるアンテナ取付装置１と、これに実装されたアンテナ装置６とを総称してアンテナユニット１７という。第二の実施形態、第三の実施形態及び、第四の実施形態においても、同様にアンテナユニットという。
【００６３】  本発明の第一の実施形態におけるアンテナユニット１７を、システム天井の格子状構造物１５内に最初の設置場所２４に設置した際には、図６に示す様に、アンテナユニット１７の通信可能範囲外のセンサーやＰＣ等の端末２３が存在する場合がある。これは、図５のアンテナユニット１７対象の通信可能なセンサーやＰＣ等の端末が、図６に示す様に、アンテナユニット１７を中心に放射状に配置されている場合の実施例である。
【００６４】  本発明の第一の実施形態は、アンテナユニット１７を中心に、対象の通信可能なセンサーやＰＣ等の端末が放射状に設置させている場合は、アンテナ取付装置１に支持されたアンテナ装置６を最初の位置より、第一直線方向１Ｍに沿ってスライドさせ、また、アンテナ取付装置１を格子状構造物内で第二直線方向２Ｍに沿ってスライドすることで、全ての対象のセンサーとＰＣ等の端末を通信可能範囲に収納することが出来る（図７参照）。
【００６５】  本発明の第一の実施形態は、第一直線方向１Ｍ及び第二直線方向２Ｍに沿ってスライド調整するだけで、対象のセンサーやＰＣ等の端末を通信可能範囲内に容易に収納でき、現場での調整時間を短縮でき、隣接する無線通信システム等に電波障害の発生をなくし、或いは小さくでき、施工品質を高めることが出来る。
【００６６】  本発明のアンテナ取付装置の第二の実施形態の分解斜視図を図８に示している。本発明の第二の実施形態は、第一の実施形態の発展形で、システム天井の水平方向の格子幅が違っても取付を可能にする実施形態である。
【００６７】  図８を参照に説明する。アンテナ取付架台本体部１ａは、第一直線方向１Ｍに沿って伸縮可能に構成さている。すなわち、アンテナ取付架台本体部１ａの折返し部５と側面部４とが残部であるアンテナ取付架台本体平面部１ｂより着脱可能に分離されている。折返し部５と側面部４とは、伸縮部２６の一部を形成しており、側面部４に伸縮平面部２６ａが連接されて、全体として一体化したコの字形の断面を有する伸縮部２６を構成している。アンテナ取付架台本体平面部１ｂと伸縮平面部２６ａとでアンテナ取付架台本体部１ａを形成している。アンテナ取付架台本体平面部１ｂには、伸縮部２６をアンテナ取付架台本体平面部１ｂに緊締するための孔２８が形成されている。伸縮平面部２６ａには孔２８に対応して長孔２７が設けられている。この長孔２７は、格子幅にあわせて伸縮部２６が第一直線方向１Ｍに沿って移動調整可能となるように、第一直線方向１Ｍに長い。
【００６８】  アンテナ取付架台本体平面部１ｂに伸縮部２６を緊締するにあたっては、伸縮平面部２６ａをアンテナ取付架台本体平面部１ｂにのせ、重ね合わせるとともに、長孔２７を孔２８に重ねる。さらに、格子幅に合わせて伸縮調整をして両者を緊締する。本実施形態では、伸縮部２６をアンテナ取付架台本体平面部１ｂに緊締するためにネジ２７ｔとナット２７ｎが使われている。また、伸縮平面部２６ａには、固定金具取付孔１０が形成されており、第一実施形態同様に、固定金具１１が取り付けられる。
【００６９】  伸縮部２６を取付けたアンテナ取付装置１を、第一直線方向１Ｍに伸縮可能にし、システム天井の格子状構造物の内幅が変化しても対応可能とさせる形態が、本発明の第二の実施形態である。また、本発明の第二の実施形態アンテナ取付装置１を格子状楮物１５内に設置し、現場で施工調整する際は、第一の実施形態のアンテナ取付装置と同様に、調整することが可能である。
【００７０】  次に、本発明の第三の実施形態について、図９、図１０、図１２、図１３を参照して詳細に説明する。第三の実施形態は、第一の実施形態の応用形である。即ち、これまで述べた第一、第二の実施形態のアンテナ取付装置は、第一直線方向１Ｍ、第二直線方向２Ｍに調整可能であったが、端末の配置状況、オフィスの状況によっては、第一直線方向１Ｍの調整が不要となり、第二直線方向２Ｍのみを調整すればよい場合がある。第三の実施形態のアンテナ取付装置１Ｓは、このような場合に適用するものである。
【００７１】  第三の実施形態は、第二直線方向２Ｍに沿ってスライド可能なアンテナ取付装置１Ｓで、アンテナ装置とアンテナ取付装置を分解した状況を示したのが図９である。図９内の白抜き矢印は、アンテナ装置６をアンテナ取付装置１Ｓに取付ける方向を示している。
【００７２】  アンテナ取付装置１とアンテナ装置６とは天井内に設置される。この際、アンテナ装置６はオフィス内の対象のセンサーやＰＣ等の端末と無線通信を行うために、正面である素子面９が下（オフィス内）に向けられた状態で、アンテナ取付装置１Ｓに取付けられる。アンテナ装置の背面にはアンテナ取付装置１に取付けられるようにするためのアンテナ装置用ボルト８が取り付けられており、また、高周波コネクタプラグ１３及び高周波同軸ケーブル１４を接続するための高周波コネクタジャック７が取付けられている。
【００７３】  第三の実施形態は、アンテナ取付装置１Ｓは、第二直線方向２Ｍに沿ってスライド可能であるが、アンテナ装置６は、第一直線方向１Ｍに沿ってスライドしない構造である。すなわち、アンテナ取付架台本体部１Ｓａに設けられたアンテナ装置用ボルト８の為の孔２Ｓと、高周波コネクタの為の孔３Ｓは、長孔ではない。
【００７４】  アンテナ取付装置１Ｓがアンテナ装置６を支持した状態で、第二直線方向２Ｍに沿ってスライドする場合は、第一の実施形態と同様、アンテナ取付架台本体部１Ｓａに連設された側面部４と折返し部５を利用して行う。アンテナ取付装置１Ｓをシステム天井の格子状構造物１５に設置し固定金具１１で固定する。固定金具１１をアンテナ取付架台本体部１Ｓａに取付けるには、アンテナ取付架台本体部１Ｓａの固定金具取付孔１０を利用する。取付金具１１は、図４に示す１１ｃの長孔を利用することで、長手方向に位置調整が可能である。
【００７５】  本発明の第三の実施形態のアンテナ取付装置１Ｓにアンテナ装置６を実装した状態の斜視図が、図１０である。第三の実施形態は、アンテナ取付装置１Ｓにアンテナ装置６を支持した状態で、アンテナ取付装置を第二直線方向２Ｍにスライドさせることが可能である。
【００７６】  次に、本発明の第三の実施形態におけるアンテナ取付装置１Ｓを、天井の格子状構造物１５内に設置し、スライドさせて、アンテナ装置６の通信可能範囲内に収納する方法について、図１２、図１３を参照して説明する。本発明の第三の実施形態におけるアンテナ取付装置１Ｓと、これに実装されたアンテナ装置６とを総称してアンテナユニット２０という。
【００７７】  先ず、図１２を参照して、アンテナユニット２０を中心に、対象の通信可能なセンサーやＰＣ等の端末が第二直線方向２Ｍに沿って直線状に設置させている場合の実施例について説明する。
【００７８】  本発明の第三の実施形態におけるアンテナユニット２０を、システム天井の格子状構造物１５内に最初に設置した際には、図１２（ａ）に示す様に、アンテナユニット２０の通信可能範囲外のセンサーやＰＣ等の端末２３Ｓａが存在する場合がある。アンテナユニット２０を中心に、対象の通信可能なセンサーやＰＣ等の端末が第二直線方向２Ｍに直線状に設置させている場合は、アンテナユニット２０を最初の位置より、格子状構造物内で第二直線方向２Ｍに沿ってスライドすることで、全ての対象のセンサーとＰＣ等の端末を通信可能範囲内に収納することが出来る。［図１２］（ｂ）を参照。
【００７９】  次に、図１３を参照して、第三の実施形態におけるアンテナユイット２０を中心に、対象の通信可能なセンサーやＰＣ等の端末が、第一直線方向１Ｍに直線状に設置させている場合の実施例について説明する。
【００８０】  本発明の第三の実施形態におけるアンテナユニット２０を、システム天井の格子状構造物１５内に最初に設置した際には、図１３（ａ）に示す様に、アンテナユニット２０の通信可能範囲外のセンサーやＰＣ等の端末２３Ｓｂが存在する場合がある。
【００８１】  アンテナユニット２０を中心に、対象の通信可能なセンサーやＰＣ等が第一直線方向１Ｍに沿って直線状に設置させている場合は、先ず、アンテナユニット２０を格子状構造物内で９０度回転させる（図１３の５９を参照）。これにより、対象の通信可能なセンサーやＰＣ等の端末が第二直線方向２Ｍに沿直線状に設置された状態になる。次に、アンテナユニット２０を格子状構造物内で第二直線方向２Ｍに沿ってスライド（図１３の５９を参照）させる。この手順により、全ての対象のセンサーとＰＣ等の端末を通信可能範囲内に収納することが出来る。この結果、隣接の無線通信システムに電波障害を発生させないようにすることができる。
【００８２】  本発明のアンテナ取付装置の第四の実施形態の分解斜視図を図１１に示している。本発明の第四の実施形態は、第三の実施形態の発展形で、システム天井の水平方向の格子幅が違っても取付を可能にする実施形態である。
【００８３】  図１１を参照に説明する。アンテナ取付架台本体部１Ｓａは、第一直線方向１Ｍに沿って伸縮可能に構成されている。すなわち、アンテナ取付架台本体部１Ｓａの折返し部５と側面部４とが、残部であるアンテナ取付架台本体平面部１Ｓｂより着脱可能に分離されている。折返し部５と側面部４とは、伸縮部２６の一部を形成しており、側面部４に伸縮平面部２６ａが連接されて一体化したコの字形の断面を有する伸縮部２６を構成している。アンテナ取付架台本体平面部１Ｓｂと伸縮平面部２６ａとでアンテナ取付架台本体部１Ｓａを形成している。アンテナ取付架台本体平面部１Ｓｂには、伸縮部２６をアンテナ取付架台本体平面部１Ｓｂに緊締するための孔２８が形成されている。伸縮平面部２６ａには孔２８に対応して長孔２７が設けられている。この長孔２７は、格子幅にあわせて伸縮部２６が第一直線方向１Ｍに沿って調整可能となるように、第一直線方向１Ｍに長い。
【００８４】  アンテナ取付架台本体平面部１Ｓｂに伸縮部２６を緊締するにあたっては、伸縮平面部２６ａをアンテナ取付架台本体平面部１Ｓｂにのせ、重ね合わせるとともに、長孔２７を孔２８に重ねる。さらに、格子幅に合わせて伸縮調整をして両者を緊締する。本実施形態では、伸縮部２６をアンテナ取付架台本体平面部１Ｓｂに緊締するためにネジ２７ｔとナット２７ｎが使われている。また、伸縮平面部２６ａには、固定金具取付孔１０が形成されており、第三実施形態同様に、固定金具１１が取り付けられる。
【００８５】  伸縮部２６を取付けた上記第四の実施形態のアンテナ取付装置１Ｓは、第一直線方向１Ｍに伸縮可能であり、システム天井の格子状構造物の内幅が変化しても対応可能である。また、本発明の第四の実施形態アンテナ取付装置１Ｓを格子状構造物１５内に設置し、現場で調整する際は、第三の実施形態のアンテナ取付装置１Ｓについて、図１２、図１３で参照して説明したのと同様に調整することが可能である。
【産業上の利用可能性】
【００８６】  本発明のアンテナ取付装置は、オフィスビル情報管理のネットワークシステム、製造業の生産ラインのデータ管理システム、流通・配送のコントロールセンターなどの無線制御システム等に利用可能である。
【符号の説明】
【００８７】１            アンテナ取付装置
１ａ          アンテナ取付架台本体部
１ｂ          アンテナ取付架台本体平面部
１Ｓ          アンテナ取付装置
１Ｓａ        アンテナ取付架台本体部
１Ｓｂ        アンテナ取付架台本体平面部
１Ｍ          第一直線方向
２            緊締長孔
２Ｍ          第二直線方向
２Ｓ          緊締孔
３            高周波コネクタ長孔
３Ｓ          高周波コネクタ孔
４            アンテナ取付架台側面部
５            アンテナ取付架台折返し部
６            アンテナ装置
７            高周波コネクタジャック
８            アンテナ装置用ボルト
９            アンテナ装置素子面
１０          固定金具取付孔
１１          固定金具
１１ａ        固定片
１１ｂ        係止片
１１ｂ１      係止元片
１１ｂ２      係止舌片
１１ｃ        長孔
１１ｔ        固定金具を係止するネジ
１１ｎ        固定金具を係止するナット
１２          ボルトを係止するナット
１３          高周波コネクタプラグ
１４          高周波同軸ケーブル
１５          格子状構造物
１５ａ        鍔部
１５ｂ        頭部
１６          吸音板
１７          アンテナユニット
１７Ｍ        アンテナユニットの調整のためのスライド（移動）方向
１８          アンテナユニットの通信可能範囲
１９          アンテナユニットの通信可能な端末
２０          アンテナユニット
２１          アンテナユニットの通信可能範囲
２２          アンテナユニットの通信可能な端末
２３          通信可能範囲外の端末
２３Ｓａ      通信可能範囲外の端末
２３Ｓｂ      通信可能範囲外の端末
２４          アンテナユニットの最初の設置場所
２６          伸縮部
２６ａ        伸縮平面部
２７          伸縮部を本体部に緊締するための長孔
２７ｔ        伸縮部を緊締するためのネジ
２７ｎ        伸縮部を緊締するためのナット
２８          伸縮部を本体部に緊締するための孔
２９          オフィスビル
３０          オフィスビル天井内
３１          高周波同軸ユニット（高周波コネクタと高周波同軸ケーブルを接続）
３２          増幅装置・送受信装置
３３ａ        アンテナユニット
３３ｂ        アンテナユニット
３３ｃ        アンテナユニット
３３ａａ      ３３ａと無線通信可能な複数の端末
３３ｂｂ      ３３ｂと無線通信可能な複数の端末
３３ａｒ      ３３ａの通信可能範囲
３３ｂｒ      ３３ｂの通信可能範囲
３４          オフィス内
３５          データ管理室内
３６          データ管理室内の送受信電波
３７          データ管理室内送受信装置用アンテナ
３８          送受信装置
３９          コンピュータ・データ管理装置
４０          アンカー
４１          アンテナ取付吊りボルト（全ネジ）
４２          振れ止め吊りボルト（全ネジ）
４３          振れ止め金具
４４          取付平板
４５          アンテナ取付金物
４６          アンテナ装置
４７          高周波同軸ケーブル
５０          アンテナ装置の電波放射パターン調整方向
５１          アンテナ装置ＰＡ（従来技術アンテナ取付装置使用）
５１ａ        角度調整後のアンテナ装置ＰＡ
５２          アンテナ装置ＰＡが、ＰＡ群を収納する為に角度の調整方向
５３          アンテナ装置ＰＡの通信可能範囲
５４          アンテナ装置ＰＡ対象の無線通信可能な端末群：ＰＡ群
５５          アンテナ装置ＰＢ（従来技術アンテナ取付装置使用）
５６          ５１ａがＰＢ群に電波障害を与える（電波の放射領域が変化する）
５７          アンテナ装置ＰＢの通信可能範囲
５８          アンテナ装置ＰＢ対象の無線通信可能な端末群：ＰＢ群
５９          ９０度回転と第二直線方向２Ｍに沿ってスライド（移動）
【図１】
2020156072.tif 000003
【図２】
2020156072.tif 000004
【図３】
2020156072.tif 000005
【図４】
2020156072.tif 000006
【図５】
2020156072.tif 000007
【図６】
2020156072.tif 000008
【図７】
2020156072.tif 000009
【図８】
2020156072.tif 000010
【図９】
2020156072.tif 000011
【図１０】
2020156072.tif 000012
【図１１】
2020156072.tif 000013
【図１２】
2020156072.tif 000014
【図１３】
2020156072.tif 000015
【図１４】
2020156072.tif 000016
【図１５】
2020156072.tif 000017
【図１６】
2020156072.tif 000018